(57)【要約】【課題】複数の電源回路を有する電源装置において、１つのソフトスタート容量で複数の電源回路の安定した起動を可能とし、かつ外付け部品の削減を図る。【解決手段】スイッチング電源１，２の起動制御信号をスイッチング電源１，２の回路内に配置した起動制御用のＳＳ回路４０，４１を通して、１つのソフトスタート容量４３を有するＳＳ共通回路３９に入力することにより、スイッチング電源１，２に応じた起動時間に基づき集中的に制御する。この構成によって複数の電源回路を安定に起動させることができる。【選択図】図１
2008125241.tif 000002
【特許請求の範囲】
【請求項１】
少なくとも第１の電源回路と第２の電源回路が共有するソフトスタート回路であって、
前記第１の電源回路を起動させる起動制御信号を入力する第１の入力端子と、前記第２の電源回路を起動させる起動制御信号を入力する第２の入力端子と、前記起動制御信号の入力により第１の時間、および前記第１の時間より長い第２の時間を設定するタイマー回路とを有し、
前記起動制御信号を前記第１の入力端子に入力後の前記第１の時間内に、前記起動制御信号を前記第２の入力端子に入力した場合、前記第１の電源回路と前記第２の電源回路を起動させ、
前記第１の時間経過後の前記第２の時間内に、前記起動制御信号を前記第２の入力端子に入力した場合、前記第１の電源回路の起動後に前記第２の電源回路を起動させ、
前記第２の時間経過後に、前記起動制御信号を前記第２の入力端子に入力した場合、前記第２の電源回路を起動させることを特徴とするソフトスタート回路。
【請求項２】
前記タイマー回路は、コンデンサの充電時定数により前記第１の時間と前記第２の時間を設定し、前記第２の時間到達時に前記コンデンサを急速放電することを特徴とする請求項１記載のソフトスタート回路。
【発明の詳細な説明】
【技術分野】
【０００１】
本発明は、複数の電源回路を有する電源装置において、安定した起動を行うためのソフトスタート回路に関するものである。
【背景技術】
【０００２】
近年、携帯電話を始めとするモバイル機器では高機能化が要望されており、複数の電源回路を有する電源装置が広く用いられている。この電源装置において複数の電源回路が同時かつ急激に立ち上がると、過大な突入電流が流れるなど機器に対して多大なストレスを与える可能性がある。このようなことから、ソフトスタート回路を用いて安定した起動が行われている。従来のソフトスタート回路として図５に示すように、特許文献１に示された、スイッチ素子８５と電界効果型トランジスタ８６と抵抗８７とコンデンサ８８とツェナーダイオード８９から構成されるソフトスタート回路がある。
【０００３】
この従来のソフトスタート回路は、スイッチ素子８５と電界効果型トランジスタ８６と抵抗８７とコンデンサ８８とツェナーダイオード８９から構成されており部品数が多い。２つの電源回路を有する電源装置における各電源回路にソフトスタート回路およびソフトスタート容量を用いた回路図を図６に示す。
【０００４】
図６において、スイッチング電源１は、所定の出力電圧を出力する出力端子３、直流入力電圧を受ける入力端子５、起動制御信号を受ける起動信号端子７、基準電圧を発生する基準電圧発生回路９、三角波やのこぎり波のような基準信号を発生する基準信号発生回路１０、誤差増幅回路１１、パルス幅変調回路１３、起動を制御するためのＡＮＤ回路１５、検出抵抗１７，１９から構成される出力検出回路２１、コイル２３とダイオード２５とパワートランジスタ２７と出力平滑コンデンサ２９で構成される電圧変換部３１、ソフトスタート回路３３、ソフトスタート容量接続端子３５、ソフトスタート容量３７で構成される。
【０００５】
また、スイッチング電源２は、所定の出力電圧を出力する出力端子４、直流入力電圧を受ける入力端子６、起動制御信号を受ける起動信号端子８、誤差増幅回路１２、パルス幅変調回路１４、起動を制御するためのＡＮＤ回路１６、検出抵抗１８，２０から構成される出力検出回路２２、コイル２４とダイオード２６とパワートランジスタ２８と出力平滑コンデンサ３０で構成される電圧変換部３２、ソフトスタート回路３４、ソフトスタート容量接続端子３６、ソフトスタート容量３８で構成される。
【特許文献１】特開昭６３−２６１４０８号公報
【発明の開示】
【発明が解決しようとする課題】
【０００６】
しかしながら、このような従来の回路構成では、各電源回路にソフトスタート容量が必要であり、ソフトスタート容量を外付けするような場合には、外付け部品が多くなるために実装面積の増加、信頼性の低下およびコストの増大を招き、またＩＣ内に配置する場合にはチップ面積が増大するという問題があった。
【０００７】
本発明は、前記従来技術の問題を解決することに指向するものであり、複数の電源回路を有する電源装置において、１つのソフトスタート容量で複数の電源回路の安定した起動を可能とし、かつ外付け部品の削減もしくはチップ面積の削減が可能なソフトスタート回路を提供することを目的とする。
【課題を解決するための手段】
【０００８】
前記の目的を達成するために、本発明に係る請求項１に記載した発明は、少なくとも第１の電源回路と第２の電源回路が共有するソフトスタート回路であって、第１の電源回路を起動させる起動制御信号を入力する第１の入力端子と、第２の電源回路を起動させる起動制御信号を入力する第２の入力端子と、起動制御信号の入力により第１の時間、および第１の時間より長い第２の時間を設定するタイマー回路とを有し、起動制御信号を第１の入力端子に入力後の第１の時間内に、起動制御信号を第２の入力端子に入力した場合、第１の電源回路と第２の電源回路を起動させ、第１の時間経過後の第２の時間内に、起動制御信号を第２の入力端子に入力した場合、第１の電源回路の起動後に第２の電源回路を起動させ、第２の時間経過後に、起動制御信号を第２の入力端子に入力した場合、第２の電源回路を起動させることを特徴とする。
【０００９】
また、請求項２に記載した発明は、請求項１のソフトスタート回路におけるタイマー回路は、コンデンサの充電時定数により第１の時間と第２の時間を設定し、第２の時間到達時にコンデンサを急速放電することを特徴とする。
【００１０】
前記構成によれば、１つのソフトスタート容量を用いることで複数の電源回路の安定した起動ができる。
【発明の効果】
【００１１】
本発明によれば、１つのソフトスタート容量を用いることで複数の電源回路の安定した起動が可能であり、かつ外付け部品の削減すなわち実装面積の削減、もしくはチップ面積の削減ができるという効果を奏する。
【発明を実施するための最良の形態】
【００１２】
以下、図面を参照して本発明における実施の形態を詳細に説明する。
【００１３】
図１は本発明の実施形態におけるソフトスタート回路を含む２つの電源回路を有する電源装置の構成を示す回路図である。ここで、前記従来例を示す図６において説明した構成部材に対応し同等の機能を有するものには同一の符号を付して示す。
【００１４】
以下、本実施形態に係るソフトスタート回路の構成について、図１を参照しながら説明する。図１に示すように、スイッチング電源１は、所定の出力電圧を出力する出力端子３、直流入力電圧を受ける入力端子５、起動制御信号を受ける起動信号端子７、基準電圧を発生する基準電圧発生回路９、三角波やのこぎり波のような基準信号を発生する基準信号発生回路１０、誤差増幅回路１１、パルス幅変調回路１３、起動を制御するためのＡＮＤ回路１５、検出抵抗１７，１９から構成される出力検出回路２１、コイル２３とダイオード２５とパワートランジスタ２７と出力平滑コンデンサ２９で構成される電圧変換部３１、本発明のソフトスタート回路を構成するＳＳ共通回路３９およびＳＳ回路４０、ソフトスタート容量の接続端子（ＵＳＳ端子）４２、ソフトスタート容量４３で構成される。
【００１５】
また、スイッチング電源２は、所定の出力電圧を出力する出力端子４、直流入力電圧を受ける入力端子６、起動制御信号を受ける起動信号端子８、誤差増幅回路１２、パルス幅変調回路１４、起動を制御するためのＡＮＤ回路１６、検出抵抗１８，２０から構成される出力検出回路２２、コイル２４とダイオード２６とパワートランジスタ２８と出力平滑コンデンサ３０で構成される電圧変換部３２、ソフトスタート回路を構成するＳＳ回路４１で構成される。なお、スイッチング電源１内に配置されるＳＳ回路４０とスイッチング電源２内に配置されるＳＳ回路４１の回路構成は同じである。
【００１６】
また、図２は図１に示したスイッチング電源におけるＳＳ共通回路の回路図、図３はＳＳ回路の回路図であり、図４（ａ）はＳＳ共通回路とＳＳ回路の各端子の動作波形を示す図、（ｂ）は各ＲＳフリップフロップであるＣＴＬ−Ｒｅｇ，ＦＳＴ−Ｒｅｇ，ＳＳ−Ｒｅｇの状態遷移図である。
【００１７】
図２において、ＳＳ共通回路３９は、直流入力基準電圧を受ける入力端子４４、ソフトスタート容量の接続端子４５、スイッチング電源１内に配置されるＳＳ回路４０からの起動制御信号を受ける入力端子であるＳＴ１端子４６、スイッチング電源２内に配置されるＳＳ回路４１からの起動制御信号を受ける入力端子であるＳＴ２端子４７、本発明のソフトスタート回路システムを制御するための出力電圧を出力するＨＬＩＭの出力端子４８およびＬＬＩＭの出力端子４９、抵抗５１，５２と制御トランジスタ５３とＯＲ回路５４とＲＳフリップフロップ５５からなるソフトスタート容量充放電制御回路、さらに、図４（ａ）中に示す電圧Ｖａおよび電圧Ｖｂを決定する抵抗５６，５７，５８とコンパレータ５９，６０から構成されるソフトスタート回路システムの制御用電圧発生回路からなる。
【００１８】
このＳＳ共通回路３９を設けることで、ソフトスタート容量４３を複数の電源回路で共有することが可能になり、外付け部品の削減もしくはチップ面積の削減することができるという効果を得られる。
【００１９】
また、図１に示すスイッチング電源１内に配置されるＳＳ回路４０およびスイッチング電源２内に配置されるＳＳ回路４１は同一の回路構成である。図３に示すようにＳＳ回路４０は、図２に示すＳＳ共通回路３９内のソフトスタート回路システムを制御するための出力電圧を出力するＨＬＩＭの出力端子４８からの電圧を受けるＨＬＩＭの入力端子６１（図２中の出力端子４８と図３中の入力端子６１は接続されるため、この２端子を以下、ＨＬＩＭ端子という）、同様にＳＳ共通回路３９内のソフトスタート回路システムを制御するための出力電圧を出力するＬＬＩＭの出力端子４９からの電圧を受けるＬＬＩＭの入力端子６２（図２中の出力端子４９と図３中の入力端子６２は接続されるため、この２端子を以下、ＬＬＩＭ端子という）を有する。
【００２０】
また、図１に示す２つの電源回路を有する電源装置内のスイッチング電源１の起動制御信号を受ける起動信号端子７、もしくはスイッチング電源２の起動制御信号を受ける起動信号端子８からの起動制御信号を受けるＣＴＬの入力端子６３（以下、ＣＴＬ端子という）、ソフトスタート容量接続端子６４（図２中のソフトスタート容量接続端子４５と図３中のソフトスタート容量接続端子６４は接続されるため、この２端子を以下、ＵＳＳ端子という）、直流入力基準電圧を受ける入力端子６５、図２に示すＳＳ共通回路３９内のＳＴ１端子４６もしくはＳＴ２端子４７へ制御信号を出力するＳＴＡＲＴの出力端子６６（以下、ＳＴＡＲＴ端子という）を有する。
【００２１】
さらに、図１に示すスイッチング電源１内の誤差増幅回路１１、もしくはスイッチング電源２内の誤差増幅回路１２の非反転入力端子へソフトスタートした起動制御信号を出力するＶＯＵＴの出力端子６７（以下、ＶＯＵＴ端子という）を有し、ＮＡＮＤ回路６８とインバータ回路６９，７０，７１，７２とＡＮＤ回路７３とＮＯＲ回路７４，７５とＲＳフリップフロップ７６（以下、ＣＴＬ−Ｒｅｇという），７７（以下、ＦＳＴ−Ｒｅｇという），７８（以下、ＳＳ−Ｒｅｇという）と制御トランジスタ７９，８０，８１，８２により構成される。
【００２２】
以上のように構成された、本実施形態に係わるソフトスタート回路の動作について説明する。ここで、図１〜図３を参照しながら、図４（ａ）に示すＳＳ共通回路とＳＳ回路の各端子の動作波形図と、図４（ｂ）に示すＣＴＬ−Ｒｅｇ，ＦＳＴ−Ｒｅｇ，ＳＳ−Ｒｅｇの状態遷移図に基づきソフトスタート回路を５つの動作状態（ｔ１〜ｔ５）に分け、各動作状態を説明する。
【００２３】
まず、動作状態ｔ１は、図３に示すＳＳ回路のＣＴＬ端子６３に起動制御信号が入力されていない状態である。本状態において、ＣＴＬ端子６３は「Ｌｏｗ」レベル、ＨＬＩＭ端子６１は「Ｌｏｗ」レベル、ＬＬＩＭ端子６２は「Ｈｉｇｈ」レベル、ＣＴＬ−Ｒｅｇ７６は「Ｒｅｓｅｔ」状態、ＦＳＴ−Ｒｅｇ７７は「Ｓｅｔ」状態、ＳＳ−Ｒｅｇ７８は「Ｒｅｓｅｔ」状態であるため、ＳＴＡＲＴ端子６６は「Ｌｏｗ」レベル、制御トランジスタ７９，８２は「ＯＦＦ」状態、制御トランジスタ８０，８１は「ＯＮ」状態である。前記より、ＶＯＵＴ端子６７は制御トランジスタ８０を通してグラウンドへの放電状態となり「Ｌｏｗ」レベルである。
【００２４】
動作状態ｔ２は、ＣＴＬ端子６３に起動制御信号が入力され、ＨＬＩＭ端子６１が「Ｌｏｗ」レベル、ＬＬＩＭ端子６２が「Ｈｉｇｈ」レベルの状態である。本状態において、ＣＴＬ端子６３は「Ｈｉｇｈ」レベル、ＨＬＩＭ端子６１は「Ｌｏｗ」レベル、ＬＬＩＭ端子６２は「Ｈｉｇｈ」レベル、ＣＴＬ−Ｒｅｇ７６は「Ｓｅｔ」状態、ＦＳＴ−Ｒｅｇ７７は「Ｒｅｓｅｔ」状態、ＳＳ−Ｒｅｇ７８は「Ｓｅｔ」状態であるため、ＳＴＡＲＴ端子６６は「Ｈｉｇｈ」レベル、制御トランジスタ８０，８１は「ＯＦＦ」状態、制御トランジスタ７９，８２は「ＯＮ」状態である。前記より、図２のＳＳ共通回路はＳＴＡＲＴ端子６６からの信号をＳＴ１，ＳＴ２端子４６，４７により受け、ＯＲ回路５４を介してＲＳフリップフロップ５５が「Ｒｅｓｅｔ」状態となり制御トランジスタ５３が「ＯＦＦ」状態となり、直流入力基準電圧を受ける入力端子４４によって抵抗５１とソフトスタート容量５０の時定数を持ってソフトスタート容量５０を充電し始める。このソフトスタート容量５０の充電時間をタイマー回路で設定する第１，第２の時間として用いる。制御トランジスタ７９は「ＯＮ」状態であるため、制御トランジスタ７９を通してＶＯＵＴ端子６７の出力電圧も上昇し始める。
【００２５】
このソフトスタート容量５０の一定時間（第１の時間）の充電により抵抗５２を介した電圧が電圧Ｖａとなって、コンパレータ６０の出力が「Ｈｉｇｈ」から「Ｌｏｗ」に移ってＬＬＩＭ端子６２が「Ｌｏｗ」レベルとなり、動作状態ｔ３へ移行する。
【００２６】
動作状態ｔ３は、ＣＴＬ端子６３に起動制御信号が入力され、ＨＬＩＭ端子６１が「Ｌｏｗ」レベル、ＬＬＩＭ端子６２が「Ｌｏｗ」レベルの状態である。本状態において、ＣＴＬ端子６３は「Ｈｉｇｈ」レベル、ＨＬＩＭ端子６１は「Ｌｏｗ」レベル、ＬＬＩＭ端子６２は「Ｌｏｗ」レベル、ＣＴＬ−Ｒｅｇ７６は「Ｓｅｔ」状態、ＦＳＴ−Ｒｅｇ７７は「Ｒｅｓｅｔ」状態、ＳＳ−Ｒｅｇ７８は「Ｓｅｔ」状態であるため、ＳＴＡＲＴ端子６６は「Ｈｉｇｈ」レベル、制御トランジスタ８０，８１は「ＯＦＦ」状態、制御トランジスタ７９，８２は「ＯＮ」状態である。前記より、直流入力基準電圧を受ける入力端子４４によって抵抗５１とソフトスタート容量５０の時定数を持って外付けソフトスタート容量５０を充電し続ける。制御トランジスタ７９は「ＯＮ」状態であるため、制御トランジスタ７９を通してＶＯＵＴ端子６７の出力電圧も上昇し続ける。
【００２７】
このソフトスタート容量５０の一定時間（第２の時間）の充電により抵抗５２を介した電圧が電圧Ｖｂとなって、コンパレータ５９の出力が「Ｌｏｗ」から「Ｈｉｇｈ］に移ってＨＬＩＭ端子６１が「Ｈｉｇｈ」レベルとなり、動作状態ｔ４へ移行する。
【００２８】
動作状態ｔ４は、ＣＴＬ端子６３に起動制御信号が入力され、ＨＬＩＭ端子６１が「Ｈｉｇｈ」レベル、ＬＬＩＭ端子６２が「Ｌｏｗ」レベルの状態である。本状態において、ＣＴＬ端子６３は「Ｈｉｇｈ」レベル、ＨＬＩＭ端子６１は「Ｈｉｇｈ」レベル、ＬＬＩＭ端子６２は「Ｌｏｗ」レベル、ＣＴＬ−Ｒｅｇ７６は「Ｓｅｔ」状態、ＦＳＴ−Ｒｅｇ７７は「Ｒｅｓｅｔ」状態、ＳＳ−Ｒｅｇ７８は「Ｒｅｓｅｔ」状態であるため、ＳＴＡＲＴ端子６６は「Ｌｏｗ」レベル、制御トランジスタ７９，８０は「ＯＦＦ」状態、制御トランジスタ８１，８２は「ＯＮ」状態である。前記より、ＶＯＵＴ端子６７は、直流入力基準電圧を受ける入力端子６５から制御トランジスタ８１，８２を通して定電圧の印加が始まる。
【００２９】
また、コンパレータ５９の出力（ＨＬＩＭ端子４８）が「Ｈｉｇｈ」レベルとなるとＲＳフリップフロップ５５が「Ｓｅｔ」状態となり制御トランジスタ５３を「ＯＮ」状態とする。これにより、ソフトスタート容量５０が抵抗５２を介してグラウンドへの放電状態となりＨＬＩＭ端子４８は「Ｌｏｗ」レベルとなるとともにソフトスタート容量５０の電圧が電圧Ｖａ以下となるとＬＬＩＭ端子４９は「Ｈｉｇｈ」レベルとなる。
【００３０】
動作状態ｔ５は、ＣＴＬ端子６３に起動制御信号が入力され、ＨＬＩＭ端子６１が「Ｌｏｗ」レベル、ＬＬＩＭ端子６２が「Ｈｉｇｈ」レベルの状態である。本状態において、ＣＴＬ端子６３は「Ｈｉｇｈ」レベル、ＨＬＩＭ端子６１は「Ｌｏｗ」レベル、ＬＬＩＭ端子６２は「Ｈｉｇｈ」レベル、ＣＴＬ−Ｒｅｇ７６は「Ｓｅｔ」状態、ＦＳＴ−Ｒｅｇ７７は「Ｒｅｓｅｔ」状態、ＳＳ−Ｒｅｇ７８は「Ｒｅｓｅｔ」状態であるため、ＳＴＡＲＴ端子６６は「Ｌｏｗ」レベル、制御トランジスタ７９，８０は「ＯＦＦ」状態、制御トランジスタ８１，８２は「ＯＮ」状態である。前記より、ＶＯＵＴ端子６７は、直流入力基準電圧を受ける入力端子６５から制御トランジスタ８１，８２を通して定電圧の印加が続けられる。
【００３１】
以上に説明した動作状態ｔ１から動作状態ｔ５がＳＳ共通回路とＳＳ回路の基本動作である。
【００３２】
次に、スイッチング電源１とスイッチング電源２が同時に起動する場合の動作について説明する。本発明のソフトスタート回路は、ＨＬＩＭ端子とＬＬＩＭ端子の状態によってソフトスタート動作システムを制御しており、ＬＬＩＭ端子が「Ｈｉｇｈ」レベルの状態にあるとき起動制御信号を受け付ける。スイッチング電源１もしくはスイッチング電源２のＣＴＬ端子に起動制御信号が入力され「Ｌｏｗ」レベルから「Ｈｉｇｈ」レベルへ変化したとき、動作状態ｔ１と動作状態ｔ２においてＨＬＩＭ端子は「Ｌｏｗ」レベル、ＬＬＩＭ端子は「Ｈｉｇｈ」レベルである。本状態の間にもう一方のスイッチング電源のＣＴＬ端子に起動制御信号が入力された場合、両方のスイッチング電源の起動を受け付け、スイッチング電源１とスイッチング電源２は同時に起動する。
【００３３】
次に、スイッチング電源１とスイッチング電源２が別々に起動する場合の動作について説明する。前述の通り、動作状態ｔ１と動作状態ｔ２においてスイッチング電源１とスイッチング電源２のＣＴＬ端子に起動制御信号が入力された場合は２つのスイッチング電源は同時に起動するが、動作状態ｔ３もしくは動作状態ｔ４においてもう一方のスイッチング電源の起動制御信号が入力された場合、もう一方のスイッチング電源は先に起動制御信号を受けたスイッチング電源が起動した後から起動し始める。
【００３４】
そして動作状態ｔ３および動作状態ｔ４において、ＨＬＩＭ端子は「Ｌｏｗ」レベル、ＬＬＩＭ端子は「Ｌｏｗ」レベルであり、本状態においてもう一方のスイッチング電源のＣＴＬ端子に起動制御信号が入力されても、ＳＳ回路（図３参照）のＮＡＮＤ回路６８に入力されるＬＬＩＭ端子６２の「Ｌｏｗ」レベルにより、ＣＴＬ−Ｒｅｇは「Ｒｅｓｅｔ」状態から「Ｓｅｔ」状態へ移行せず、ＦＳＴ−Ｒｅｇは「Ｓｅｔ」状態から「Ｒｅｓｅｔ」状態へ移行せず、ＳＳ−Ｒｅｇは「Ｒｅｓｅｔ」状態から「Ｓｅｔ」状態へ移行しないため、ＳＴＡＲＴ端子は「Ｌｏｗ」レベルを維持し、後から起動制御信号を入力したスイッチング電源は起動しない。先に起動制御信号を入力したスイッチング電源が起動し終わると、ＨＬＩＭ端子は「Ｌｏｗ」レベル、ＬＬＩＭ端子は「Ｈｉｇｈ」レベルへ移行して起動制御信号を受け付ける状態となり、後から起動制御信号を入力したスイッチング電源が起動し始める。
【００３５】
また、動作状態ｔ５にもう一方のスイッチング電源の起動制御信号が入力された場合は、ＨＬＩＭ端子は「Ｌｏｗ」レベル、ＬＬＩＭ端子は「Ｈｉｇｈ」レベルへ移行済みであるため、もう一方のスイッチング電源は起動制御信号を受けた時点から起動し始める。
【００３６】
以上の動作より、１つのソフトスタート容量で複数の電源回路を有する電源装置において安定した起動を実現することが可能となる。
【産業上の利用可能性】
【００３７】
本発明に係るソフトスタート回路は、１つのソフトスタート容量を用いることで複数の電源回路の安定した起動が可能であり、かつ外付け部品を減らし実装面積もしくはチップ面積の削減ができ、モバイル機器の電源装置として有用である。
【図面の簡単な説明】
【００３８】
【図１】本発明の実施形態におけるソフトスタート回路を含む２つの電源回路を有する電源装置の構成を示す回路図
【図２】図１に示したスイッチング電源におけるＳＳ共通回路の回路図
【図３】図１に示したスイッチング電源におけるＳＳ回路の回路図
【図４】（ａ）はＳＳ共通回路とＳＳ回路の各端子の動作波形を示す図、（ｂ）はＣＴＬ−Ｒｅｇ，ＦＳＴ−Ｒｅｇ，ＳＳ−Ｒｅｇの状態遷移図
【図５】従来のソフトスタート回路を示す図
【図６】従来の２つの電源回路を有する電源装置のソフトスタート回路およびソフトスタート容量を用いた回路図
【符号の説明】
【００３９】
１，２  スイッチング電源
３，４，８４  出力端子
５，６，４４，６５，８３  入力端子
７，８  起動信号端子
９  基準電圧発生回路
１０  基準信号発生回路
１１，１２  誤差増幅回路
１３，１４  パルス幅変調回路
１５，１６，７３  ＡＮＤ回路
１７，１８，１９，２０  検出抵抗
２１，２２  出力検出回路
２３，２４  コイル
２５，２６  ダイオード
２７，２８  パワートランジスタ
２９，３０  出力平滑コンデンサ
３１，３２  電圧変換部
３３，３４  ソフトスタート回路
３５，３６，４２，４５，６４  ソフトスタート容量接続端子（ＵＳＳ端子）
３７，３８，４３，５０  ソフトスタート容量
３９  ＳＳ共通回路
４０，４１  ＳＳ回路
４６  ＳＴ１端子
４７  ＳＴ２端子
４８，６１  ＨＬＩＭ端子
４９，６２  ＬＬＩＭ端子
５１，５２，５６，５７，５８，８７  抵抗
５３，７９，８０，８１，８２  制御トランジスタ
５４  ＯＲ回路
５５  ＲＳフリップフロップ
５９，６０  コンパレータ
６３  ＣＴＬ端子
６６  ＳＴＡＲＴ端子
６７  ＶＯＵＴ端子
６８  ＮＡＮＤ回路
６９，７０，７１，７２  インバータ回路
７４，７５  ＮＯＲ回路
７６  ＣＴＬ−Ｒｅｇ
７７  ＦＳＴ−Ｒｅｇ
７８  ＳＳ−Ｒｅｇ
８５  スイッチ素子
８６  電界効果型トランジスタ
８８  コンデンサ
８９  ツェナーダイオード
【図１】
2008125241.tif 000003
【図２】
2008125241.tif 000004
【図３】
2008125241.tif 000005
【図４】
2008125241.tif 000006
【図５】
2008125241.tif 000007
【図６】
2008125241.tif 000008